(57)【特許請求の範囲】
【請求項１】
非磁性支持体として用いたポリエチレンテレフタレートフィルム上に磁性層を形成した磁気シートを所定の幅に裁断するスリット工程を含む磁気テープの製造方法において、
前記スリット工程に磁気シートが案内される直前に、前記磁気シートを、前記非磁性支持体のガラス転移温度をＴｇとすると、（Ｔｇ−１０）〜（Ｔｇ＋３０）（℃）の温度の加熱ロールに当接させ、
引き続き３０（℃）以下の温度の冷却ロールに当接させ、
前記磁気シートを加熱ロールに当接させる時間が０．０３〜０．６秒であり、
冷却ロールに当接させる時間が０．０３〜０．３秒であり、
前記磁気シートが加熱ロールを離れてから冷却ロールに入るまでの時間が１秒以内である加熱冷却工程を設けることを特徴とする磁気記録媒体の製造方法。
【発明の詳細な説明】
【技術分野】
【０００１】
本発明は、磁気記録媒体の製造方法に関し、特に、幅変動が小さな磁気記録媒体の製造方法に関するものである。
【背景技術】
【０００２】
磁気記録媒体の製造に当たっては、非磁性支持体上に非磁性層を介してか介さずして磁性塗料を塗布して磁性層が形成される。この時用いられる塗布装置としては、塗布の高速化、非磁性層と磁性層を同時に非磁性支持体上に形成する点で利点の多いダイコータが主流となっている。また、磁気記録媒体の高容量化の流れの中で、短波長記録を効率よく行うために、磁性層の厚さは、１００ｎｍ以下に薄層化される傾向にある。
【０００３】
さらに、記録トラック幅を小さくして高容量化が図られているため記録トラックを正確にトレースするためには、テープ幅変動も今まで以上に小さくする必要が出てきた。
【０００４】
一方、磁気記録媒体の高温環境下における寸法安定性を向上させるために、広幅の原反から所定のテープ幅に裁断するスリット工程の直前に原反を２０〜５０ｇ／ｃｍの張力で走らせながら、８０〜１２０℃、相対湿度６０％ＲＨ以上で熱処理することが提案されている（特許文献１）。
【先行技術文献】
【特許文献】
【０００５】
【特許文献１】特開平１−１０９５３０号公報
【発明の概要】
【発明が解決しようとする課題】
【０００６】
非磁性支持体上に非磁性層を介してか介さずして磁性塗料を塗布して磁性層を形成した磁気シートＭは、通常、幅１ｍ程度のものをコアＣを巻き芯として１万ｍ程度巻回した磁気原反Ｇとして扱われる。この磁気原反Ｇは、非磁性層や磁性層の塗布時の厚さムラのために、通常その外周面は幅方向にうねりを持った形状をなしており、盛り上がり部Ｇｍを有している（図１）。
【０００７】
この場合、磁気シートＭの盛り上がり部Ｇｍは、その他の部分に比較して、長手方向に伸ばされており、巻き出された磁気シートＭは、その部分がたるんだ形状になる。このため、例えば磁気シートＭを所定の幅に裁断し磁気テープとするスリット工程においては、他の部分に比較して小さなテンションで裁断されることになり、他の部分よりスリット幅が小さくなって、所望のテープ幅より小さな幅の磁気テープとなる問題点があった。また、磁気原反Ｇの外周面の幅方向のうねりの影響は、磁気原反Ｇの磁気シート巻き層の外層部と内層部で異なるので、長手方向のテープ幅変動の要因にもなる。
【０００８】
以下、図面に基づいて本発明に係る従来技術を具体的に説明する。図２に磁気シートＭを所定の幅に裁断するスリット工程に使用される一例の裁断装置１０の概略構成図を示す。
【０００９】
裁断装置１０は、磁気シートＭを巻き出す巻き出し部１と、磁気シートＭを所定の幅に裁断したものを巻き取る巻き取り部２ａ、２ｂとの間に、磁気シートＭを所定の幅に裁断する回転刃９ａ、９ｂと、裁断時に磁気シートＭを所定の張力に保持するメインフィードロール４、ニップロール３とアウトフィードロール６ａ、６ｂ、ニップロール５ａ、５ｂと、磁気シートＭを案内するガイドロール７ａ、７ｂ、固定ガイド８から構成される。
【００１０】
巻き出し部１から巻き出された磁気シートＭは、ガイドロール７ａ、７ｂ、メインフィードロール４、ニップロール３、固定ガイド８を経由して上下一対に配置された回転刃９ａ、９ｂに案内され所定の幅に裁断される。
【００１１】
所定の幅に裁断された磁気シートＭは、互いに隣接しているものが上下に分けられる。裁断したものを磁気シートの幅方向の一端より番号を付けたとすると、例えば偶数番号の磁気テープＴａは上へ、奇数番号の磁気テープＴｂは下へと案内され、それぞれ巻取り部２ａ、２ｂにて巻き取られる。
【００１２】
回転刃９ａ、９ｂにて磁気シートＭを裁断する際のシート張力が変動すると磁気テープ幅が変動する原因になるので、メインフィードロール４、ニップロール３とアウトフィードロール６ａ、６ｂ、ニップロール５ａ、５ｂによりシート張力が一定になるように制御される。
【００１３】
しかし、図１で示したように、例えば非磁性支持体上に非磁性層、磁性層が形成された磁気シートＭがコアＣに巻回されて形成された磁気原反Ｇは、非磁性層、磁性層が形成される際の塗布厚さムラのため、程度の差はあるものの、磁気原反Ｇの外周面に盛り上がり部Ｇｍを有している。このような磁気原反Ｍから磁気シートＭを引き出すと、盛り上がり部Ｇｍはシートが伸ばされているため、ベコベコと弛んだ状態となる。そこで、前述したようにメインフィードロール４、ニップロール３とアウトフィードロール６ａ、６ｂ、ニップロール５ａ、５ｂによりシート張力が一定になるように制御したとしても、盛り上がり部Ｇｍにおいては、設定した張力よりも小さな張力となってしまって、裁断幅（磁気テープ幅）が所定の幅よりも小さくなってしまう。
【００１４】
本発明は、このような磁気シートＭの変形を予め除去した上で、磁気シートＭを裁断し、幅寸法の変動が抑制された磁気記録媒体を製造するための製造方法を提供するものである。
【課題を解決するための手段】
【００１５】
本発明者らは、磁気記録媒体の製造方法について鋭意検討した結果、磁気記録媒体の製造方法を下記の構成にすれば、磁気記録媒体の幅変動が抑制された磁気記録媒体の製造方法を提供できることを見出し、本発明をなすに至った。
【００１６】
すなわち、非磁性支持体上に磁性層を形成した磁気シートを所定の幅に裁断するスリット工程を含む磁気テープの製造方法において、前記スリット工程に、磁気シートが案内される直前に、前記磁気シートを、前記非磁性支持体のガラス転移温度をＴｇとすると、（Ｔｇ−１０）〜（Ｔｇ＋３０）（℃）の温度の加熱ロールに当接させ、引き続き３０（℃）以下の温度の冷却ロールに当接させ、前記磁気シートを加熱ロールに当接させる時間が０．０３〜０．６秒であり、冷却ロールに当接させる時間が０．０３〜０．３秒であり、前記磁気シートが加熱ロールを離れてから冷却ロールに入るまでの時間が１秒以内である加熱冷却工程を設けることを特徴とする。
【発明の効果】
【００１７】
本発明の磁気記録媒体の製造方法においては、スリット工程に、磁気シートが案内される直前に、磁気シートの非磁性支持体のガラス転移温度をＴｇとすると、（Ｔｇ−１０）〜（Ｔｇ＋３０）（℃）の温度の加熱ロールに当接させ、引き続き３０（℃）以下の温度の冷却ロールに当接させる加熱冷却工程を設けるために、非磁性層や磁性層の塗布ムラにより生じた磁気シートの変形を元に戻し平坦な磁気シートとしてから磁気シートを裁断することができるので、幅変動の抑制された磁気記録媒体を製造することができる。
【図面の簡単な説明】
【００１８】
【図１】非磁性支持体に非磁性層、磁性層を形成した磁気シートを巻回して得られた一例の磁気原反の形状を示すイメージ図である。
【図２】一例の裁断装置の概略構成図である。
【図３（ａ）】一例の本発明の加熱ロール、冷却ロールの構成図である。
【図３（ｂ）】別の一例の本発明の加熱ロール、冷却ロールの構成図である。
【発明を実施するための形態】
【００１９】
図３（ａ）、図3（ｂ）に、本発明の磁気記録媒体の製造方法に用いる加熱ロール、冷却ロールの配置例を示す。本発明の磁気記録媒体の製造方法においては、裁断装置により磁気シートを所定の幅に裁断するスリット工程に、磁気シートが案内される直前に加熱ロールと冷却ロールとを非磁性支持体に当接させる加熱冷却工程を含む。
【００２０】
例えば、図２に示した裁断装置のガイドロール７ａとガイドロール７ｂとの間に、図３（ａ）に示した加熱ロールＨ、冷却ロールＬからなる加熱冷却手段を配置することができる。この加熱冷却手段は、ガイドロール７、７、磁気シートＭが巻き付けられた加熱ロールＨおよび冷却ロールＬから構成される。磁気シートＭが巻回された不図示の巻き出し部から巻き出された磁気シートＭはガイドロール７により加熱ロールＨに巻き付けられ、引き続き冷却ロールＬに巻き付けられる。その後ガイドロール７により案内されて搬送され磁気シートＭを所定の幅に裁断する回転刃に送られるように構成されている。
【００２１】
このような構成にすることにより、加熱ロールＨにて、変形した磁気シートＭのシートを加熱することにより平坦に戻し、戻した形状を冷却ロールＬによりそのまま固定することができる。
【００２２】
加熱ロールＨの温度は、磁気シートＭの非磁性支持体の材質、搬送速度、厚さにより適宜設定することが好ましいが、通常、使用する磁気シートＭの非磁性支持体のガラス転移温度をＴｇとすると、（Ｔｇ−１０）〜（Ｔｇ＋３０）（℃）の範囲が好ましい。この範囲が好ましいのは、（Ｔｇ−１０）（℃）未満であると、磁気シートＭ（主な構成要素は非磁性支持体）の変形を十分に戻すことができず、（Ｔｇ＋３０）（℃）以上であると、効果が飽和に達するだけではなく、却って磁気シートＭに別の変形を与えたり、磁気シートＭが収縮しすぎて、磁性層が塗られている幅が裁断機の刃物列の全幅よりも幅寸法が小さくなって、最端部の裁断された磁気テープに磁性層が塗られていない部分が入る場合があるからである。
【００２３】
磁気記録媒体の非磁性支持体に使用される材料のＴｇは、通常５０℃以上で、５０℃未満であると、非磁性支持体がゴム状弾性を示すようになり、寸法安定性や剛性が低下して支持体としての性能が発揮できなくなる。好ましい材料としては、ポリエチレンテレフタレート（ＰＥＴ）（Ｔｇ＝６９℃）、ポリエチレンナフタレート（ＰＥＮ）（Ｔｇ＝１１３℃）などが挙げられる。また、磁気記録媒体の非磁性支持体に使用される材料のＴｇは、実用的には通常１５０℃以下である。
【００２４】
また、磁気シートＭを加熱ロールＨに当接させる時間は、０．０３〜０．６秒が好ましい。この範囲が好ましいのは、０．０３秒未満であると、磁気シートＭの変形を十分に戻すことができず、０．６秒を超えると効果が飽和に達するだけではなく、却って磁気シートＭに別の変形を与える場合があるからである。当接時間がこの範囲になるように、磁気シートＭの搬送速度、加熱ロールＨのロール径、巻付け角度を設定することが好ましい。
【００２５】
加熱ロールＨで磁気シートＭを平坦化した後は、できるだけ速やかに冷却ロールＬに当接させて磁気シートＭを冷却して平坦のまま形状を固定化することが好ましい。
【００２６】
磁気シートＭが加熱ロールＨを離れてから冷却ロールＬに入るまでの時間は、１秒以内が好ましく、短ければ短い程好ましい。この範囲がこのましいのは、１秒を超えると平坦化した磁気シートＭが、平坦化前の元の形状に戻る場合があるからである。
【００２７】
冷却ロールＬの温度は、３０（℃）以下の範囲が好ましい。この範囲で冷却することにより、平坦化された磁気シートＭの平坦形状が好ましく固定されて維持される。また、磁気シートＭを冷却ロールに当接させる時間は、０．０３〜０．３秒が好ましい。この範囲が好ましいのは、０．０３秒未満であると、平坦のまま形状を固定化することが十分行なえない場合があったり、０．３秒を超えると効果が飽和に達するからである。
【００２８】
別の一例の本発明の加熱ロール、冷却ロールの配置についても説明する。図３（ｂ）は図３（ａ）の加熱ロールＨと冷却ロールＬの間に、１つのガイドロール７を配置している。この時、磁気シートＭが加熱ロールＨを離れてから冷却ロールＬに入るまでの時間は、１秒以内であり、加熱ロールＨで加熱することにより平坦化した磁気シートＭが、平坦化前の元の形状に戻ることなく、磁気シートＭを所定の幅に裁断する回転刃に送る事が出来る。尚、磁気シートＭが加熱ロールＨを離れてから冷却ロールＬに入るまでの時間が１秒以内であれば、加熱ロールＨと冷却ロールＬが図３（ａ）、図3（ｂ）以外の配置でも良く、また加熱ロールＨと冷却ロールＬとの間には複数本のガイドが存在しても構わない。
【００２９】
なお、特許文献１で開示されている先行技術では、磁気記録媒体の高温環境下における寸法安定性を向上させるために、広幅の原反から所定のテープ幅に裁断するスリット工程の直前に原反を２０〜５０ｇ／ｃｍの張力で走らせながら、８０〜１２０℃、相対湿度６０％ＲＨ以上で熱処理することが開示されているが、図１に示されているように、加熱加湿ゾーンが設けられており、比較的長時間に渡って加熱が行なわれるためスリット速度が上げられず生産効率に影響するとともに、装置が大かがりになる。また、本発明でいうところの冷却ロールも有していないので、本発明の目的とする、裁断前の磁気シートの平坦化の効果は発揮し得ない。
【実施例】
【００３０】
厚さ６μｍのＰＥＴ（ポリエチレンテレフタレート）フイルム（Ｔｇ＝６９℃）（非磁性支持体）上に、メタル磁性粉末をバインダに分散した磁性塗料を、乾燥後の厚さが約２μｍとなるように塗布して磁気シートを作製した。  この磁気シートを巻回して得られた磁気原反を、図２に示した裁断装置のガイドロール７ａとガイドロール７ｂとの間に図３（ａ）で示した本発明の加熱・冷却手段を配置して１／２インチ幅に裁断し、磁気テープを得た。
【００３１】
なお、加熱ロール、冷却ロールの温度および径と、原反シートの巻付け角、各ロール間の距離、原反シートの搬送速度を調整して、下記表に示した条件で各実施例、比較例の実験を行なった。
得られた磁気テープを下記方法にて評価した。
【００３２】
＜ガラス転移温度Ｔｇの測定＞
磁性層塗布前の非磁性支持体シートから、長手方向に、長さ７０ｍｍ、幅６ｍｍの測定用試料を切り出し、レオメトリックス社製、動的粘弾性測定器ソリットアナライザーＲＳＡ‐ＩＩを使用して、チャック間距離５０ｍｍ、測定温度範囲２０℃〜１８０℃、昇温速度４℃／分、測定周波数１Ｈｚ（６．２８ｒａｄ／ｓ）、測定負荷歪０．２％の条件で測定を行い、得られたｔａｎ−δ曲線のピーク位置をＴｇとして求めた。
【００３３】
＜裁断幅変動率＞
磁気テープの幅寸法を、光学的センサーで磁気テープの両エッジ位置から求める測定装置で求めた。この測定装置を用いて、得られたすべての磁気テープを全長に渡って幅寸法を測定し、下式に基づいて幅変動率を求めた。
幅変動率（％）＝
（最大の磁気テープ幅−平均磁気テープ幅）／平均磁気テープ幅×１００
【００３４】
＜端部テープの状況＞
加熱ロール、冷却ロールを通して裁断した際の、最端部刃物で裁断して得られた両端の磁気テープを観察し、磁気シートが幅方向に大きく収縮して、磁性層の塗布幅の端部がかかり磁性層が塗布されていない部分が含まれ、製品として使用できない場合を×とし、それ以外は○とした。
得られた結果を、表１および表２に示した。
【００３５】
【表１】
0005596470.tif 000002
【００３６】
【表２】
0005596470.tif 000003
【００３７】
上記の結果から、請求項を満たす実施例１〜９は、各比較例に比べ、裁断幅変動率、端部テープの状況に優れることが分る。
【００３８】
加熱ロール温度が非磁性支持体のＴｇより１０℃を超えて低い場合は裁断幅変動率が大きくなり（比較例１）、一方３０℃を超えて高い場合には裁断幅変動率が大きく、かつ磁気シート幅収縮率も大きくなって端部テープは使用できなくなった（比較例２）。冷却ロール温度が３０℃を超える場合は裁断幅変動率が大きくなった（比較例７）。
【産業上の利用可能性】
【００３９】
本発明によれば、磁気シートを平坦にしたうえで、裁断を行うことができるので、裁断幅変動の小さな磁気テープを得ることができる。また、その時の磁気シートの収縮率も小さいので、端部の磁気テープも使用可能となる。
【符号の説明】
【００４０】
１              巻き出し部
２ａ、２ｂ      巻き取り部
３、５ａ、５ｂ  ニップロール
４              メインフィードロール
６ａ、６ｂ      アウトフィードロール
７、７ａ、７ｂ  ガイドロール
９ａ、９ｂ      回転刃
１０            裁断装置
Ｃ              コア
Ｇ              磁気原反
Ｇｍ            盛り上がり部
Ｈ              加熱ロール
Ｌ              冷却ロール
Ｍ              磁気シート
【図１】
0005596470.tif 000004
【図２】
0005596470.tif 000005
【図３（ａ）】
0005596470.tif 000006
【図３（ｂ）】
0005596470.tif 000007